【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
睡眠中を含む所定計測期間に亘り、被験者の心電図波形信号を計測する、計測手段と、
前記計測手段で計測された心電図波形信号に基づいて、被験者の心拍間隔の時間推移波形データを生成する、心拍間隔波形生成手段と、
前記心拍間隔波形生成手段で得られた時間推移波形データもしくはその加工データに対してウェーブレット変換手段を用いてウェーブレット変換を実行して、特定周波数領域におけるウェーブレット係数のパワーの時間推移波形データを算出する、算出手段と、
前記算出手段で算出された、ウェーブレット係数のパワーの時間推移波形を表示及び／又は印刷を行う出力手段と、を有することを特徴とする、睡眠の質を評価するために用いる表示又は印刷を行う装置。
【請求項２】
前記特定周波数領域が、睡眠周期（ウルトラディアンリズム）に対応した周波数を含んでなることを特徴とする請求項１に記載の睡眠の質を評価するために用いられる表示又は印刷を行う装置。
【請求項３】
前記心拍間隔波形生成手段は、次のステップＡ〜Ｄを含んで前記波形生成を実行することを特徴とする、請求項１又は２に記載の、睡眠の質を評価するために用いられる表示又は印刷を行う装置。
ステップＡ：前記計測手段で計測された心電図波形信号から、心拍間隔を抽出する工程。
ステップＢ：前記ステップＡで抽出された心拍間隔の大きさの時間推移波形データである、未加工波形のデータを生成する工程。
ステップＣ：前記ステップＢで生成された未加工波形のデータから、この波形の変化のトレンドを示すトレンド波形を生成する工程。
ステップＤ：前記ステップＢで生成された未加工波形において、前記トレンド波形を中心として所定の幅を超えた変動を有する測定値を削除して前記トレンド波形の値で補完を行うことにより、前記心拍間隔の時間推移波形データを得る工程。
【請求項４】
前記算出手段は、次のステップＥ〜Ｇを含んで前記算出を実行することを特徴とする、請求項１〜３のいずれか１項に記載の、睡眠の質を評価するために用いられる表示又は印刷を行う装置。
ステップＥ：前記心拍間隔波形生成手段で得られた心拍間隔の時間推移波形データに対して、所定のずらし時間間隔で起点をずらしたフーリエ窓変換を順次実行し、それぞれの時刻における周波数スペクトルを生成する工程。
ステップＦ：前記ステップＥで得られた各周波数スペクトルから、特定周波数領域のパワーが時間推移する波形データである、心拍間隔の特定周波数領域パワー波形を生成する工程。
ステップＧ：前記心拍間隔の特定周波数領域パワー波形をウェーブレット変換して、時間推移するウェーブレット係数を算出する工程。
【請求項５】
睡眠中を含む所定計測期間に亘り、被験者の心電図波形信号を計測手段を用いて計測する第１のステップと、
前記第１のステップで計測された心電図波形信号に基づいて、被験者の心拍間隔の時間推移波形データを、心拍間隔波形生成手段を用いて生成する第２のステップと、
前記第２のステップで得られた時間推移波形データもしくはその加工データに対してウェーブレット変換手段を用いてウェーブレット変換を実行して、特定周波数領域におけるウェーブレット係数のパワーの時間推移波形データを算出する第３のステップと、
前記第３のステップで算出された、ウェーブレット係数のパワーの時間推移波形を表示手段を用いた表示及び／又は印刷手段を用いた印刷を行う第４のステップと、を有することを特徴とする、睡眠の質を評価するために用いる表示又は印刷を行う方法。
【請求項６】
前記特定周波数領域が、睡眠周期（ウルトラディアンリズム）に対応した周波数を含んでなることを特徴とする請求項５に記載の睡眠の質を評価するために用いられる表示又は印刷を行う方法。
【請求項７】
前記第２のステップは、次のステップ２Ａ〜２Ｄを含んでなることを特徴とする、請求項５又は６に記載の、睡眠の質を評価するために用いられる表示又は印刷を行う方法。
ステップ２Ａ：前記第１のステップで計測された心電図波形信号から、心拍間隔を抽出する工程。
ステップ２Ｂ：前記ステップ２Ａで抽出された心拍間隔の大きさの時間推移波形データである、未加工波形のデータを生成する工程。
ステップ２Ｃ：前記ステップ２Ｂで生成された未加工波形のデータから、この波形の変化のトレンドを示すトレンド波形を生成する工程。
ステップ２Ｄ：前記ステップ２Ｂで生成された未加工波形において、前記トレンド波形を中心として所定の幅を超えた変動を有する測定値を削除して前記トレンド波形の値で補完を行うことにより、前記心拍間隔の時間推移波形データを得る工程。
【請求項８】
前記第３のステップは、次のステップ３Ａ〜３Ｃを含んでなることを特徴とする、請求項５〜７のいずれか１項に記載の、睡眠の質を評価するために用いられる表示又は印刷を行う方法。
ステップ３Ａ：前記第２のステップで得られた心拍間隔の時間推移波形データに対して、所定のずらし時間間隔で起点をずらしたフーリエ窓変換を順次実行し、それぞれの時刻における周波数スペクトルを生成する工程。
ステップ３Ｂ：前記ステップ３Ａで得られた各周波数スペクトルから、特定周波数領域のパワーが時間推移する波形データである、心拍間隔の特定周波数領域パワー波形を生成する工程。
ステップ３Ｃ：前記心拍間隔の特定周波数領域パワー波形をウェーブレット変換して、時間推移するウェーブレット係数を算出する工程。
【請求項９】
被験者の睡眠の質を評価するために用いられる表示又は印刷を行う方法をコンピュータが実行するためのコンピュータプログラムであって、請求項５〜８のいずれか１項に記載の、睡眠の質を評価するために用いられる表示又は印刷を行う方法が有する各実行ステップを含んでなることを特徴とするコンピュータプログラム。
【請求項１０】
睡眠中を含む所定計測期間に亘り、被験者の脳波波形信号を計測する、計測手段と、
前記計測手段で計測された脳波波形信号に基づいて、被験者の脳波波形の時間推移波形データを生成する、脳波波形生成手段と、
前記脳波波形生成手段で得られた脳波波形の時間推移波形データもしくはその加工データに対してウェーブレット変換手段を用いてウェーブレット変換を実行して、特定周波数領域におけるウェーブレット係数のパワーの時間推移波形データを算出する、算出手段と、
前記算出手段で算出された、ウェーブレット係数のパワーの時間推移波形を表示及び／又は印刷を行う出力手段と、を有することを特徴とする、睡眠の質を評価するために用いる表示又は印刷を行う装置。
【請求項１１】
前記特定周波数領域が、睡眠周期（ウルトラディアンリズム）に対応した周波数を含んでなることを特徴とする請求項１０に記載の睡眠の質を評価するために用いられる表示又は印刷を行う装置。
【請求項１２】
前記脳波波形生成手段は、次のステップＡ〜Ｄを含んで前記波形生成を実行することを特徴とする、請求項１０又は１１に記載の、睡眠の質を評価するために用いられる表示又は印刷を行う装置。
ステップＡ：前記計測手段で計測された脳波波形信号から、脳波を抽出する工程。
ステップＢ：前記ステップＡで抽出された脳波の大きさの時間推移波形データである、未加工波形のデータを生成する工程。
ステップＣ：前記ステップＢで生成された未加工波形のデータから、この波形の変化のトレンドを示すトレンド波形を生成する工程。
ステップＤ：前記ステップＢで生成された未加工波形において、前記トレンド波形を中心として所定の幅を超えた変動を有する測定値を削除して前記トレンド波形の値で補完を行うことにより、前記脳波波形の時間推移波形データを得る工程。
【請求項１３】
前記算出手段は、次のステップＥ〜Ｇを含んで前記算出を実行することを特徴とする、請求項１０〜１２のいずれかに記載の、睡眠の質を評価するために用いられる表示又は印刷を行う装置。
ステップＥ：前記脳波波形の時間推移波形データに対して、所定のずらし時間間隔で起点をずらしたフーリエ窓変換を順次実行し、それぞれの時刻における周波数スペクトルを生成する工程。
ステップＦ：前記ステップＥで得られた各周波数スペクトルから、特定周波数領域のパワーが時間推移する波形データである、特定周波数領域パワー波形を生成する工程。
ステップＧ：前記特定周波数領域パワー波形をウェーブレット変換して、時間推移するウェーブレット係数を算出する工程。
【請求項１４】
睡眠中を含む所定計測期間に亘り、被験者の波形信号を計測手段を用いて計測する第１のステップと、
前記第１のステップで計測された波形信号に基づいて、被験者の脳波波形の時間推移波形データを、脳波波形生成手段を用いて生成する第２のステップと、
前記第２のステップで得られた時間推移波形データもしくはその加工データに対してウェーブレット変換手段を用いてウェーブレット変換を実行して、特定周波数領域におけるウェーブレット係数のパワーの時間推移波形データを算出する第３のステップと、
前記第３のステップで算出された、ウェーブレット係数のパワーの時間推移波形を表示手段を用いた表示及び／又は印刷手段を用いた印刷を行う第４のステップと、を有することを特徴とする、睡眠の質を評価するために用いる表示又は印刷を行う方法。
【請求項１５】
前記特定周波数領域が、睡眠周期（ウルトラディアンリズム）に対応した周波数を含んでなることを特徴とする請求項１４に記載の睡眠の質を評価するために用いられる表示又は印刷を行う方法。
【請求項１６】
前記第２のステップは、次のステップ２Ａ〜２Ｄを含んでなることを特徴とする、請求項１４又は１５に記載の、睡眠の質を評価するために用いられる表示又は印刷を行う方法。
ステップ２Ａ：前記第１のステップで計測された波形信号から、脳波波形を抽出する工程。
ステップ２Ｂ：前記ステップ２Ａで抽出された脳波波形の大きさの時間推移波形データである、未加工波形のデータを生成する工程。
ステップ２Ｃ：前記ステップ２Ｂで生成された未加工波形のデータから、この波形の変化のトレンドを示すトレンド波形を生成する工程。
ステップ２Ｄ：前記ステップ２Ｂで生成された未加工波形において、前記トレンド波形を中心として所定の幅を超えた変動を有する測定値を削除して前記トレンド波形の値で補完を行うことにより、前記脳波波形の時間推移波形データを得る工程。
【請求項１７】
前記第３のステップは、次のステップ３Ａ〜３Ｃを含んでなることを特徴とする、請求項１４〜１６のいずれか１項に記載の、睡眠の質を評価するために用いられる表示又は印刷を行う方法。
ステップ３Ａ：前記第２のステップで得られた脳波波形の時間推移波形データに対して、所定のずらし時間間隔で起点をずらしたフーリエ窓変換を順次実行し、それぞれの時刻における周波数スペクトルを生成する工程。
ステップ３Ｂ：前記ステップ３Ａで得られた各周波数スペクトルから、特定周波数領域のパワーが時間推移する波形データである、脳波の特定周波数領域パワー波形を生成する工程。
ステップ３Ｃ：前記脳波の特定周波数領域パワー波形をウェーブレット変換して、時間推移するウェーブレット係数を算出する工程。
【請求項１８】
被験者の睡眠の質を評価するために用いられる表示又は印刷を行う方法をコンピュータが実行するためのコンピュータプログラムであって、請求項１４〜１７のいずれか１項に記載の、睡眠の質を評価するために用いられる表示又は印刷を行う方法が有する各実行ステップを含んでなることを特徴とするコンピュータプログラム。
【請求項１９】
大気圧よりも高い圧縮空気を送出し、且つ当該送出圧を変更可能に構成した圧縮空気用送風手段と、
前記圧縮空気用送風手段の送出側に連結された導管手段と、
前記導管手段の他端部に備えられ、治療患者に装着して前記圧縮空気を当該患者へ供給するマスク手段を具備し、睡眠状態にある当該患者に対し、前記マスク手段を介して前記圧縮空気を継続的に供給するための呼吸補助装置であって、
（１）前記圧縮空気が供給されている患者の生体情報を継続的に取得する生体情報取得手段と、
（２）前記取得された生体情報を用いて、当該患者の睡眠の質を高める方向へ、前記圧縮空気用送出手段の送出圧を変更制御する制御手段と、を更に有することを特徴とする呼吸補助装置。
【請求項２０】
前記生体情報は当該患者の心拍間隔に関する情報であり、且つ、前記制御手段は継続的に取得された前記心拍間隔の高周波成分に含まれる睡眠周期成分の時間推移に基づいて前記送出圧の変更制御を行うことを特徴とする、請求項１９に記載の呼吸補助装置。
【請求項２１】
大気圧よりも高い圧縮空気を送出し、且つ当該送出圧を変更可能に構成した圧縮空気用送風手段と、
前記圧縮空気用送風手段の送出側に連結された導管手段と、
前記導管手段の他端部に備えられ、治療患者に装着して前記圧縮空気を当該患者へ供給するマスク手段を具備し、睡眠状態にある当該患者に対し、前記マスク手段を介して前記圧縮空気を継続的に供給するための、慢性心疾患患者を対象とした呼吸補助装置であって、
（１）前記圧縮空気が供給されている患者の生体情報を継続的に取得する生体情報取得手段と、
（２）前記取得された生体情報を用いて、当該患者の睡眠の質を高める方向へ、前記圧縮空気用送出手段の送出圧を変更制御する制御手段と、を更に有し、
且つ、前記生体情報は当該患者の心拍間隔に関する情報であるとともに、前記制御手段は継続的に取得された前記心拍間隔の高周波成分に含まれる睡眠周期成分の時間推移に基づいて前記送出圧の変更制御を行うことを特徴とする、慢性心疾患患者を対象とした呼吸補助装置。
【請求項２２】
前記圧縮空気用送風手段は、治療患者の肺換気量、及び／又は治療患者の呼吸数が予め定めた一定量に近づくよう前記送出圧を自動変更制御するよう構成されたことを特徴とする、請求項１９〜２１のいずれか１項に記載の呼吸補助装置。
【請求項２３】
対象者に対して物理刺激を与えて睡眠導入を行うための睡眠導入装置であって、
（１）睡眠導入を行おうとする対象者の生体情報を継続的に取得する生体情報取得手段と、
（２）前記取得された生体情報を用いて、当該患者の睡眠の質を高める方向へ、前記物理刺激の態様を変更制御する制御手段と、を更に有することを特徴とする睡眠導入装置。
【請求項２４】
前記生体情報は当該患者の心拍間隔に関する情報であり、且つ、前記制御手段は継続的に取得された前記心拍間隔の高周波成分に含まれる睡眠周期成分の時間推移に基づいて前記物理刺激の態様の変更制御を行うことを特徴とする、請求項２３に記載の睡眠導入装置。
【請求項２５】
マッサージの態様を変更可能に構成したマッサージ装置であって、
（１）マッサージを行う対象者の生体情報を継続的に取得する生体情報取得手段と、
（２）前記取得された生体情報を用いて、当該患者の睡眠の質を高める方向へ、前記マッサージの態様を変更制御する制御手段と、を更に有することを特徴とするマッサージ装置。
【請求項２６】
前記生体情報は当該患者の心拍間隔に関する情報であり、且つ、前記制御手段は継続的に取得された前記心拍間隔の高周波成分に含まれる睡眠周期成分の時間推移に基づいて前記マッサージの態様の変更制御を行うことを特徴とする、請求項２５に記載の睡眠導入装置。
【請求項２７】
被験者の睡眠の質を評価するために用いる検査装置であって、
睡眠状態にある被験者の心拍間隔の情報を継続的に取得する情報取得手段と、
取得された前記心拍間隔の高周波成分に含まれる睡眠周期成分の時間推移を、表示又は印刷する出力手段とを有する検査装置。
【請求項２８】
当該被験者の呼吸動作の情報を継続的に検知する呼吸検知手段を更に備え、前記出力手段は前記心拍間隔の波形に含まれる前記呼吸動作の波形を抑圧した波形の高周波成分に含まれる睡眠周期成分の時間推移を、表示又は印刷することを特徴とする請求項２７に記載の検査装置。
【請求項２９】
心臓疾患治療において患者の部位をカフにより加圧して当該部位における血管中の血流を促すことで心臓ポンプ作用を補助する外部型カウンターパルゼーション療法における、前記加圧の態様を決定するために用いる検査装置であって、
当該患者の心拍間隔の情報を継続的に取得する情報取得手段と、
取得された前記心拍間隔の情報に基づき、当該患者の血行動態に関する情報を表示又は印刷する出力手段と、を有する検査装置。